【手続補正書】
【提出日】平成24年8月14日(2012.8.14)
【手続補正１】
【補正対象書類名】特許請求の範囲
【補正対象項目名】全文
【補正方法】変更
【補正の内容】
【特許請求の範囲】
【請求項１】
少なくとも１つの第１のタイプの有機化合物と、
少なくとも１つの第２のタイプの有機化合物と、
を含む組成物であって、
第１のタイプの有機化合物が一般構造式Ｉ、
2012500316.tif 000001
（Ｉ）
（式中、Ｃｏｒｅは剛体棒状マクロ分子を形成可能なコンジュゲートされた有機単位であり、
ｎは剛体棒状マクロ分子中のコンジュゲートされた有機単位の数であり、
Ｇｋは１セットのイオン形成性側基であり、
ｋはセットＧｋ中の側基の数であり、
イオン形成性側基および数ｋは、第１のタイプの有機化合物の溶媒中での可溶性を提供し、棒状マクロ分子に剛性を与え、
数ｎは有機化合物またはその塩の溶液中でのマクロ分子の自己集合を促進する異方性を分子に提供する。）を有し、
第２のタイプの有機化合物が一般構造式ＩＩ、
2012500316.tif 000002
（ＩＩ）
（式中、Ｓｙｓは少なくとも部分的にコンジュゲートされた実質的に平面の多環分子系であり、
Ｘ、Ｙ、ＺおよびＱは置換基であり、
置換基Ｘはカルボン酸基−ＣＯＯＨであり、ｍは０、１、２、３または４であり、
置換基Ｙはスルホン酸基−ＳＯ3Ｈであり、ｈは０、１、２、３または４であり、
置換基Ｚはカルボキサミド−ＣＯＮＨ2であり、ｐは０、１、２、３または４であり、  置換基Ｑはスルホンアミド−ＳＯ2ＮＨ2であり、ｖは０、１、２、３または４である。
）を有し、
第２のタイプの有機化合物がπ−π相互作用を介して板状超分子を形成可能であり、
組成物がリオトロピック液晶溶液を形成可能であり、
前記溶液が可視スペクトル範囲における電磁放射に対して実質的に透明な固体リタデーション層を形成可能である組成物。
【請求項２】
前記固体リタデーション層の二軸性のタイプおよび程度が、前記組成物中の第１のタイプの有機化合物および第２のタイプの有機化合物のモル比によって制御される、請求項１に記載の組成物。
【請求項３】
前記数ｋが０、１、２、３、４、５、６、７または８に等しく、前記数ｎが１０乃至１００００の範囲中の整数である、請求項１乃至２のいずれか一項に記載の組成物。
【請求項４】
前記棒状マクロ分子がポリマーの剛体主鎖を有し、前記コンジュゲートされた有機単位が同一であるか、前記剛体棒状マクロ分子が、コポリマーの剛体主鎖を有し、少なくとも１つの前記コンジュゲートされた有機単位が、他のものとは異なる、請求項１乃至３のいずれか一項に記載の組成物。
【請求項５】
少なくとも１つの前記コンジュゲートされた有機単位（Ｃｏｒｅ）が、一般構造式ＩＩＩ、
−（Ｃｏｒｅ１）−Ｓ１−（Ｃｏｒｅ２）−Ｓ２−  （ＩＩＩ）
（Ｃｏｒｅ１およびＣｏｒｅ２はコンジュゲートされた有機成分であり、スペーサーのＳ１およびＳ２は−Ｃ（Ｏ）−ＮＨ−、−ＮＨ−Ｃ（Ｏ）−、−Ｏ−ＮＨ−、直鎖状および分岐状の（Ｃ1−Ｃ4）アルキレン、直鎖状および分岐状の（Ｃ1−Ｃ4）アルケニレン、−Ｏ−ＣＨ2−、−ＣＨ2−Ｏ−、−ＣＨ＝ＣＨ−、−ＣＨ＝ＣＨ−Ｃ（Ｏ）Ｏ−、−Ｏ（Ｏ）Ｃ−ＣＨ＝ＣＨ−、−Ｃ（Ｏ）−ＣＨ2−、−ＯＣ（Ｏ）−Ｏ−、−ＯＣ（Ｏ）−、−Ｃ≡Ｃ−、−Ｃ（Ｏ）−Ｓ−、−Ｓ−、−Ｓ−Ｃ（Ｏ）−、−Ｏ−、−ＮＨ−、−Ｎ（ＣＨ3）−を含むリストから独立して選択される）を有する、請求項１乃至４のいずれか一項に記載の組成物。
【請求項６】
少なくとも１つの前記剛体コアポリマーが、一般構造式ＩＶ、
［−（Ｃｏｒｅ１）−Ｓ１−（Ｃｏｒｅ２）−Ｓ２−］n-t［−（Ｃｏｒｅ３）−Ｓ３−［（Ｃｏｒｅ４）−Ｓ４−］j］t  （ＩＶ）
（式中、Ｃｏｒｅ１、Ｃｏｒｅ２、Ｃｏｒｅ３およびＣｏｒｅ４はコンジュゲートされた有機成分であり、スペーサーのＳ１、Ｓ２、Ｓ３およびＳ４は−ＣＯ−ＮＨ−、−ＮＨ−ＣＯ−、−Ｏ−ＮＨ−、直鎖状および分岐状の（Ｃ1−Ｃ4）アルキレン、直鎖状および分岐状の（Ｃ1−Ｃ4）アルケニレン、（Ｃ2−Ｃ20）ポリエチレングリコール、−Ｏ−ＣＨ2−、−ＣＨ2−Ｏ−、−ＣＨ＝ＣＨ−、−ＣＨ＝ＣＨ−ＣＯＯ−、−ＯＯＣ−ＣＨ＝ＣＨ−、−ＣＯ−ＣＨ2−、−ＯＣＯ−Ｏ−、−ＯＣＯ−、−Ｃ≡Ｃ−、−ＣＯ−Ｓ−、−Ｓ−、−Ｓ−ＣＯ−、−Ｏ−、−ＮＨ−、−Ｎ（ＣＨ3）−、を含むリストから独立して選択され、ｎは１０乃至１００００の範囲中の整数であり、ｔは１乃至ｎ−１の範囲中の整数であり、ｊは０または１であり、リストでのＣｏｒｅ３およびＣｏｒｅ４のうちの１つのコンジュゲートされた有機成分はＣｏｒｅ１およびＣｏｒｅ２とは異なる。）を有するコポリマーである、請求項１乃至５のいずれか一項に記載の組成物。
【請求項７】
イオン形成性基Ｇを含む前記コンジュゲートされた有機成分のＣｏｒｅ１、Ｃｏｒｅ２、Ｃｏｒｅ３およびＣｏｒｅ４が、一般式１乃至２、
2012500316.tif 000003
（式中、イオン形成性側基Ｇは−ＣＯＯＨ、−ＳＯ3Ｈおよび−Ｈ2ＰＯ3を含むリストから選択され、ｋは０、１または２に等しく、ｐは１、２または３に等しい。）
を有する構造から選択される、請求項５または６のいずれか一項に記載の組成物。
【請求項８】
前記第１のタイプの有機化合物が、構造３乃至１３、
2012500316.tif 000004
2012500316.tif 000005
2012500316.tif 000006
から選択され、イオン形成性側基Ｇがスルホン酸基−ＳＯ3Ｈであり、ｋは０、１または２に等しい、請求項１乃至５のいずれか一項に記載の組成物。
【請求項９】
前記第１のタイプの有機化合物が、直鎖状および分岐状の（Ｃ1−Ｃ20）アルキル、（Ｃ2−Ｃ20）アルケニル、および（Ｃ2−Ｃ20）アルキニルを含むリストから独立して選択された追加の側基をさらに含み、前記追加の側基の少なくとも１つが、−Ｃ（Ｏ）−、−Ｃ（Ｏ）Ｏ−、−Ｃ（Ｏ）−ＮＨ−、−（ＳＯ2）ＮＨ−、−Ｏ−、−ＣＨ2Ｏ−、−ＮＨ−、＞Ｎ、およびその任意の組み合わせを含むリストから選択された架橋基Ａを介してＣｏｒｅと結合され、そして、前記第１のタイプの有機化合物の塩が、アンモニウム塩およびアルカリ金属塩を含むリストから選択される、請求項１乃至８のいずれか一項に記載の組成物。
【請求項１０】
前記第２のタイプの有機化合物が、一般式１４乃至２７、
2012500316.tif 000007
を持つ構造から選択された部分的にコンジュゲートされた実質的に平面の多環分子系Ｓｙｓを有し、前記第２のタイプの有機化合物が、構造式２８乃至３５、
2012500316.tif 000008
を有し、分子系Ｓｙｓが構造１４および２１乃至２７から選択され、置換基がスルホン酸基−ＳＯ3Ｈであり、ｍ、ｐ、ｖおよびｗが０に等しい、請求項９に記載の組成物。
【請求項１１】
アルカリ金属水酸化物およびアルカリ金属塩を含むリストから選択される無機化合物をさらに含む、請求項１乃至１０のいずれか一項に記載の組成物。
【請求項１２】
前面および裏面を有する基板と、
基板の前面上に少なくとも１つの固体光学リタデーション層と、
を含む光学フィルムであって、
固体光学リタデーション層が、請求項１〜１１のいずれか１項に記載の組成物を含み、さらに、前記固体光学リタデーション層が可視スペクトル範囲における電磁放射に対して実質的に透明である、光学フィルム。
【請求項１３】
前記固体リタデーション層が、一般的には、基板前面の平面で２つの互いに垂直な方向に対応する２つの屈折率（ｎxおよびｎy）および基板前面に対する法線方向での１つの屈折率（ｎz）を保持する二軸性リタデーション層であり、屈折率がｎx≠ｎz≠ｎyの条件に従う、請求項１２に記載の光学フィルム。
【請求項１４】
前記屈折率が、ｎz＜ｎy＜ｎxの条件に従うかまたはｎx＜ｎz＜ｎyの条件に従う、請求項１３に記載の光学フィルム。
【請求項１５】
前記基板材料が、ポリマーおよびガラスを含むリストから選択され、かつ前記基板の前面および裏面が、平らであるかもしくは湾曲しているかまたはそのいずれか組み合わせである、請求項１２乃至１４のいずれか一項に記載の光学フィルム。
【請求項１６】
垂直配向モード液晶セル、液晶セルの各々の側に配置された２つの偏光板、および前記偏光板の間に位置する少なくとも１つの補償構造を含む液晶ディスプレイであって、偏光板が互いに垂直な透過軸を有し、補償構造が少なくとも１つのリタデーション層を含み、リタデーション層が請求項１〜１１のいずれか１項に記載の組成物を有し、前記補償構造が、進相軸および遅相軸にそれぞれ対応する２つの面内屈折率（ｎｆおよびｎｓ）および法線方向での１つの屈折率（ｎｎ）によって特徴づけられ、可視スペクトル範囲における電磁放射についてｎｓ＞ｎｆ＞ｎｎの条件に従うことを特徴とする液晶ディスプレイ。
【請求項１７】
少なくとも１つの前記補償構造が、液晶セルと１つの前記偏光板との間に位置するか又は少なくとも１つの前記補償構造が液晶セルの内部に位置する、請求項１６に記載の液晶ディスプレイ。
【請求項１８】
液晶セルの各々の側に位置する少なくとも２つの補償構造を含む、請求項１７に記載の液晶ディスプレイ。
【請求項１９】
進相軸および遅相軸にそれぞれ対応する２つの面内屈折率（ｎｆおよびｎｓ）および法線方向における１つの屈折率（ｎｎ）によって特徴づけられ、可視スペクトル範囲における電磁放射についてｎｓ＝ｎｆ＞ｎｎの条件に従う、追加のリタデーション層をさらに含む、請求項１６乃至１８のいずれか一項に記載の液晶ディスプレイ。
【請求項２０】
前記２つの偏光板の少なくとも１つが、少なくとも１つのリタデーションＴＡＣ層を含む、請求項１６乃至１９のいずれか一項に記載の液晶ディスプレイ。